(57)【要約】【課題】コンテンツ提供装置からコンテンツ再生装置へのコンテンツの転送が中断したとしても転送済のブロックの部分については、再生品質を損なわずにユーザに視聴させることが可能なコンテンツ再生システムを実現する。【解決手段】本発明のコンテンツ再生システム１００は、互いに通信可能に接続された据え置き録画機１と携帯型再生端末１０とからなるシステムであり、据え置き録画機１はコンテンツを複数のブロックに分割してブロック毎に携帯型再生端末１０に送信する制御部３を備え、携帯型再生端末１０は上記ブロックを受信するデータ取得制御部１２と当該ブロックを再生する再生データ制御部１４とを備えているので、分割されたブロックをすべて携帯型再生端末１０が受信する前に受信が中断したとしても、コンテンツ中の受信したブロックの部分については再生品質を損なわずにユーザに視聴させることができる。【選択図】図１
2010109946.tif 000002
【特許請求の範囲】
【請求項１】
コンテンツを提供するコンテンツ提供装置と、上記コンテンツ提供装置に通信可能に接続されたコンテンツ再生装置と、からなるコンテンツ再生システムであって、
上記コンテンツ提供装置は、
上記コンテンツを、当該コンテンツ中の所定の時間帯の部分であって、独立して再生可能な複数のブロックに分割する分割手段と、
上記複数のブロックを、ブロック毎に上記コンテンツ再生装置に送信する送信手段と、を備え、
上記コンテンツ再生装置は、受信した上記ブロックを再生する再生手段を備えていることを特徴とする、コンテンツ再生システム。
【請求項２】
上記コンテンツ提供装置は、
上記送信手段が、上記コンテンツと当該コンテンツを分割した結果得られたブロックとを対応づけるための対応情報を上記コンテンツ再生装置に送信し、
上記コンテンツ再生装置は、
上記対応情報に基づいて受信したブロックに対応づけられたコンテンツを特定するとともに、自身が当該コンテンツを再生したか否かを判定する判定手段と、
上記コンテンツを再生したか否かを示す情報を上記コンテンツ提供装置に通知する通知手段と、をさらに備え、
上記送信手段は、上記コンテンツを再生したか否かを示す情報に基づいて送信優先度を決定するとともに、当該送信優先度がより高いコンテンツを分割して得られたブロックを優先的に送信することを特徴とする請求項１に記載のコンテンツ再生システム。
【請求項３】
上記送信手段は、上記複数のブロックを、ブロックの再生時間の短い順に送信することを特徴とする請求項１に記載のコンテンツ再生システム。
【請求項４】
上記送信手段は、上記複数のブロックを、ブロックのデータサイズが小さい順に送信することを特徴とする請求項１に記載のコンテンツ再生システム。
【請求項５】
上記送信手段は、上記複数のブロックを、ブロックの放送が開始された時刻と当該ブロックが構成するコンテンツの放送が開始された時刻との時間差の絶対値が少ない順に送信することを特徴とする請求項１に記載のコンテンツ再生システム。
【請求項６】
上記コンテンツ提供装置は、
所定の記憶部に記録されている複数のコンテンツの各々について、当該コンテンツの放送が開始された時刻を表わす時刻情報と、当該コンテンツのタイトル情報と、当該コンテンツを指し示すコンテンツ特定情報とが含まれた付加データを上記コンテンツ再生装置に送信する付加データ送信手段をさらに備え、
上記コンテンツ再生装置は、
上記コンテンツ提供装置から受信した上記付加データを記録するための付加データ記録部と、
当該付加データ記録部に上記付加データを記録する記録手段と、をさらに備え、
上記判定手段は、上記付加データ記録部に上記タイトル情報が同一であって上記コンテンツ特定情報が異なる付加データが記録されているタイトル情報の各々について、当該タイトル情報を含む複数の付加データのうち、上記時刻情報が表わす時刻が最も遅い付加データが指し示すコンテンツを再生したか否か判定するとともに、
上記送信手段は、上記判定手段により再生していないと判定されたコンテンツよりも、再生していないと判定されていないコンテンツを分割して得られたブロックを優先的に送信することを特徴とする請求項２に記載のコンテンツ再生システム。
【請求項７】
上記送信手段は、上記判定手段により再生していないと判定されたコンテンツよりも、再生していないと判定されていないコンテンツを分割して得られたブロックを優先的に送信するとともに、または当該ブロックを優先的に送信することに代えて、上記判定手段により再生したと判定されていないコンテンツよりも、再生したと判定されたコンテンツを分割して得られたブロックを優先的に送信することを特徴とする請求項６に記載のコンテンツ再生システム。
【請求項８】
上記コンテンツ提供装置は、
所定の記憶部に記録されている複数のコンテンツの各々について、当該コンテンツの再生時間を表わす再生時間情報と、当該コンテンツに対応するグループ情報と、当該コンテンツを指し示すコンテンツ特定情報とが含まれた付加データを上記コンテンツ再生装置に送信する付加データ送信手段をさらに備え、
上記コンテンツ再生装置は、
上記コンテンツ提供装置から受信した上記付加データを記録するための付加データ記録部と、
当該付加データ記録部に上記付加データを記録する記録手段と、をさらに備え、
当該付加データ記録部に複数の異なるグループ情報が記録されている場合に、上記通知手段が、上記複数の異なるグループ情報の各々について当該グループ情報と当該グループ情報に対応するコンテンツであって上記判定手段が再生したと判定したコンテンツの再生時間情報の合計値とを関連づけて生成した情報を、上記コンテンツ提供装置に通知し、
上記送信手段は、上記生成した情報に含まれる上記合計値がより大きいグループ情報に対応するコンテンツを分割して得られたブロックを優先的に送信することを特徴とする請求項２に記載のコンテンツ再生システム。
【発明の詳細な説明】
【技術分野】
【０００１】
本発明は、コンテンツを提供するコンテンツ提供装置と、コンテンツ提供装置からコンテンツを受信して再生するコンテンツ再生装置とからなるコンテンツ再生システムに関する。
【背景技術】
【０００２】
近年、ハードディスクレコーダ等の据え置き型のデジタル録画機が急速に普及したことに伴い、自宅に据え置きのデジタル録画機によって録画したコンテンツを、携帯型再生端末に転送して、外出先で視聴するという視聴者が増えてきている。
【０００３】
そのようなデジタル録画機と携帯型再生端末とからなる従来の携帯視聴システムにおいては、デジタル録画機が、自身に録画されたコンテンツを携帯型再生端末に転送するのに長時間を要する場合がある。このような場合、ユーザによっては、コンテンツの転送の完了を待ちきれずに、転送の中断を指示することがあり、その場合、コンテンツのデータが壊れるなどにより、携帯型再生端末が、コンテンツを再生できない場合がある。
【０００４】
この問題を解決する携帯視聴システムが、特許文献１に開示されている。このシステムは、コンテンツの転送がユーザにより中断されることを考慮して設計されたものであって、本体装置、及び携帯装置により構成されている。そして、このシステムにおいては、本体装置は、コンテンツを構成する各モノメディア（映像、音声、字幕等）に転送優先度を設定することができ、ユーザから転送指示を受けると、転送優先度の高い順に、各モノメディアを携帯装置に転送する。これにより、転送が中断された場合であっても、携帯装置は、転送中断時にコンテンツを構成するモノメディアを１つでも受信完了していれば、部分的（例えば、音声の転送優先度が一番高ければ、音声のみ）ながら、本体装置に録画された時間分、コンテンツを再生することができる。
【特許文献１】特許第４０５４４７９号公報（平成１１年１２月１４日公開）
【発明の開示】
【発明が解決しようとする課題】
【０００５】
しかしながら、特許文献１に記載の携帯視聴システムでは、携帯装置は、転送中断時にコンテンツを構成するモノメディアを１つでも受信完了していれば、録画時間分のコンテンツを再生することができるものの、コンテンツ本来の品質（全モノメディアを受信した状態）で再生を行うことができないという問題を生じる。
【０００６】
本発明は、上記の問題点に鑑みてなされたものであり、その目的は、コンテンツをブロックに分割して外部に提供する据え置き型録画機（コンテンツ提供装置）と分割された複数の当該ブロックを据え置き型録画機から受信して再生する携帯型再生端末（コンテンツ再生装置）とにより構成されるコンテンツ再生システムを実現することにある。
【課題を解決するための手段】
【０００７】
本発明に係るコンテンツ再生システムは、上記課題を解決するために、コンテンツを提供するコンテンツ提供装置と、上記コンテンツ提供装置に通信可能に接続されたコンテンツ再生装置と、からなるコンテンツ再生システムであって、上記コンテンツ提供装置は、上記コンテンツを、当該コンテンツ中の所定の時間帯の部分であって、独立して再生可能な複数のブロックに分割する分割手段と、上記複数のブロックを、ブロック毎に上記コンテンツ再生装置に送信する送信手段と、を備え、上記コンテンツ再生装置は、受信した上記ブロックを再生する再生手段を備えていることを特徴としている。
【０００８】
上記の構成によれば、コンテンツ再生システムは、コンテンツ再生装置がコンテンツから分割されたブロックをすべて受信する前に受信が中断したとしても、コンテンツ中のコンテンツ再生装置が受信したブロックについては、再生品質を損なわずにユーザに視聴させることができるという効果を奏する。
【０００９】
本発明に係るコンテンツ再生システムは、上記送信手段が、上記複数のブロックを、ブロックの放送が開始された時刻と当該ブロックが構成するコンテンツの放送が開始された時刻との時間差の絶対値が少ない順に送信することが望ましい。
【００１０】
上記の構成によれば、コンテンツ再生装置は、コンテンツ中のより冒頭に近いブロックを優先的に受信する。すなわち、複数のコンテンツを受信する際には、いずれのコンテンツから分割されたブロックであるかに関係なく、冒頭部分に近いブロックを優先的に受信する。
【００１１】
従って、コンテンツ再生装置において、コンテンツから分割されたブロックをすべて受信完了する前に受信が中断したとしても、冒頭部分に関しては、すべてのコンテンツを中断時点で受信している可能性が高い。よって、コンテンツ再生システムは、ユーザが複数のコンテンツの中から、より興味のあるコンテンツを選択して視聴できる可能性を高めるというさらなる効果を奏する。
【００１２】
本発明に係るコンテンツ再生システムは、上記送信手段が、上記複数のブロックを、ブロックの再生時間の短い順に送信することが望ましい。
【００１３】
上記の構成によれば、コンテンツ再生装置において、上記複数のブロックをすべて受信完了する前に受信が中断したときに、任意の順序でブロックを受信した場合と比べて、より多くのブロックを受信している可能性が高くなる。すなわち、コンテンツ再生システムは、受信の中断が発生した場合に、コンテンツ再生装置が、部分的であってもより多くのコンテンツを受信している可能性が高めることができる。
【００１４】
従って、本発明に係るコンテンツ再生システムは、上述のコンテンツ再生システムと同様の作用効果を奏する。
【００１５】
また、本発明に係るコンテンツ再生システムは、上記送信手段が、複数の上記ブロックを、データサイズの短い順に送信することが望ましい。
【００１６】
本発明に係るコンテンツ再生システムは、上記コンテンツ提供装置において、上記送信手段が、上記コンテンツと当該コンテンツを分割した結果得られたブロックとを対応づけるための対応情報を上記コンテンツ再生装置に送信し、上記コンテンツ再生装置が、上記対応情報に基づいて受信したブロックに対応づけられたコンテンツを特定するとともに、自身が当該コンテンツを再生したか否かを判定する判定手段と、上記コンテンツを再生したか否かを示す情報を上記コンテンツ提供装置に通知する通知手段と、をさらに備え、上記送信手段は、上記コンテンツを再生したか否かを示す情報に基づいて送信優先度を決定するとともに、当該送信優先度がより高いコンテンツを分割して得られたブロックを優先的に送信することが望ましい。
【００１７】
上記の構成によれば、コンテンツ提供装置は、コンテンツ再生装置が受信したコンテンツをユーザが視聴したか否かに基づいて、これから送信するコンテンツの送信優先度を決定する。従って、コンテンツ再生システムは、各コンテンツから分割されたブロックをすべてコンテンツ再生装置が受信する前に受信が中断したとしてもユーザが視聴を望むコンテンツから分割されたブロックについてはコンテンツ再生装置がすべてのブロックを受信している可能性を高めることができる。よって、コンテンツ再生システムは、ユーザが視聴を望むコンテンツを視聴できる可能性を高めるというさらなる効果を奏する。
【００１８】
本発明に係るコンテンツ再生システムは、上記コンテンツ提供装置が、所定の記憶部に記録されている複数のコンテンツの各々について、当該コンテンツの放送が開始された時刻を表わす時刻情報と、当該コンテンツのタイトル情報と、当該コンテンツを指し示すコンテンツ特定情報とが含まれた付加データを上記コンテンツ再生装置に送信する付加データ送信手段をさらに備え、上記コンテンツ再生装置が、上記コンテンツ提供装置から受信した上記付加データを記録するための付加データ記録部と、当該付加データ記録部に上記付加データを記録する記録手段と、をさらに備え、上記判定手段は、上記付加データ記録部に上記タイトル情報が同一であって上記コンテンツ特定情報が異なる付加データが記録されているタイトル情報の各々について、当該タイトル情報を含む複数の付加データのうち、上記時刻情報が表わす時刻が最も遅い付加データが指し示すコンテンツを再生したか否か判定するとともに、上記送信手段は、上記判定手段により再生していないと判定されたコンテンツよりも、再生していないと判定されていないコンテンツを分割して得られたブロックを優先的に送信することが望ましい。
【００１９】
上記の構成によれば、コンテンツ再生装置は、上記付加データ記録部に上記タイトル情報が同一であって上記コンテンツ特定情報が異なる付加データが記録されているタイトル情報の各々について、当該タイトル情報を含む複数の付加データのうち、上記時刻情報が表わす時刻が最も遅い付加データが指し示すコンテンツを再生したか否か判定する。例えば、コンテンツ再生装置は、放送日が異なり、タイトルが同一の異なるコンテンツ（例えば、連続ドラマの２話分のコンテンツ）を指し示す複数の付加データが付加データ記録部に記録されている場合に、上記複数の付加データのうち、最近放送されたコンテンツをユーザが視聴したか否かを判定する。そして、コンテンツ提供装置は、再生していないと判定されたコンテンツよりも、再生していないと判定されていないコンテンツを優先的に送信する。例えば、コンテンツ提供装置は、上記の最近放送されたコンテンツをユーザが視聴していないと判定した場合には、再生していないと判定されていないコンテンツを優先的に送信する。
【００２０】
ここで、コンテンツ再生装置に同一のタイトルのコンテンツが複数格納されているにもかかわらず、最近放送されたコンテンツを再生していないということは、ユーザは同一のタイトルのコンテンツを新たに転送する前に、転送済の同一タイトルのコンテンツを先に視聴する可能性が高い（すなわち、ユーザは、当該タイトルのコンテンツよりも他のコンテンツの転送を望む）と考えられる。従って、本発明に係るコンテンツ再生システムは、上述のコンテンツ再生システムと同様の作用効果を奏する。
【００２１】
本発明に係るコンテンツ再生システムは、上記送信手段が、上記判定手段により再生していないと判定されたコンテンツよりも、再生していないと判定されていないコンテンツを分割して得られたブロックを優先的に送信するとともに、または当該ブロックを優先的に送信することに代えて、上記判定手段により再生したと判定されていないコンテンツよりも、再生したと判定されたコンテンツを分割して得られたブロックを優先的に送信することが望ましい。
【００２２】
上記の構成によれば、コンテンツ再生装置は、再生していないと判定されたコンテンツよりも、再生していないと判定されていないコンテンツを優先的に受信する。
【００２３】
ここで、コンテンツ再生装置に同一のタイトルのコンテンツを複数格納されているにもかかわらず、最近放送されたコンテンツを再生済であるということは、ユーザは同一のタイトルのコンテンツを新たに転送して視聴することを望んでいる可能性が高いと考えられる。
【００２４】
従って、本発明に係るコンテンツ再生システムは、コンテンツから分割されたブロックをすべてコンテンツ再生装置が受信する前に受信が中断したとしても、特定のタイトルのコンテンツを継続して視聴しているユーザが、当該タイトルのコンテンツを新たに視聴できる可能性を高めるというさらなる効果を奏する。
【００２５】
本発明に係るコンテンツ再生システムは、上記コンテンツ提供装置が、所定の記憶部に記録されている複数のコンテンツの各々について、当該コンテンツの再生時間を表わす再生時間情報と、当該コンテンツに対応するグループ情報と、当該コンテンツを指し示すコンテンツ特定情報とが含まれた付加データを上記コンテンツ再生装置に送信する付加データ送信手段をさらに備え、上記コンテンツ再生装置が、上記コンテンツ提供装置から受信した上記付加データを記録するための付加データ記録部と、当該付加データ記録部に上記付加データを記録する記録手段と、をさらに備え、当該付加データ記録部に複数の異なるグループ情報が記録されている場合に、上記通知手段が、上記複数の異なるグループ情報の各々について当該グループ情報と当該グループ情報に対応するコンテンツであって上記判定手段が再生したと判定したコンテンツの再生時間情報の合計値とを関連づけて生成した情報を、上記コンテンツ提供装置に通知し、上記送信手段は、上記生成した情報に含まれる上記合計値がより大きいグループ情報に対応するコンテンツを分割して得られたブロックを優先的に送信することが望ましい。ここで、グループ情報とは、タイトル情報、またはジャンル情報のことをいう。
【００２６】
上記の構成によれば、コンテンツ再生装置は、付加データ記録部に複数の異なるグループ情報が記録されている場合に、上記複数の異なるグループ情報のうち、再生したと判定したコンテンツの再生時間情報の合計値がより大きいグループ情報に対応するコンテンツを優先的に受信する。例えば、コンテンツ再生装置は、付加データ記録部にジャンル情報として「ドラマ」と「スポーツ」が記録されている場合、ユーザが視聴した「スポーツ」のジャンルのコンテンツに関する再生時間情報の合計値が、「ドラマ」のジャンルのコンテンツに関する再生時間情報の合計値より大きい場合には、コンテンツ再生装置は、「スポーツ」のジャンルのコンテンツを優先的に受信する。
【００２７】
これにより、コンテンツ再生システムは、コンテンツから分割されたブロックをすべてコンテンツ再生装置が受信する前に受信が中断したとしても、特定のタイトル、または特定のジャンルに視聴傾向が強いユーザが、当該タイトル、または当該ジャンルのコンテンツを視聴できる可能性を高めるというさらなる効果を奏する。
【発明の効果】
【００２８】
以上のように、本発明に係るコンテンツ再生システムにおいて、コンテンツ提供装置は、コンテンツを、当該コンテンツ中の所定の時間帯の部分であって、独立して再生可能な複数のブロックに分割する。そして、コンテンツ提供装置は、上記複数のブロックを、ブロック毎にコンテンツ再生装置に送信する。一方、コンテンツ再生装置は、受信した上記ブロックを再生する。
【００２９】
これにより、コンテンツ再生システムは、コンテンツから分割されたブロックをすべてコンテンツ再生装置が受信する前に受信が中断したとしても、コンテンツ中のコンテンツ再生装置が受信したブロックについては、再生品質を損なわずにユーザに視聴させることができるという効果を奏する。
【発明を実施するための最良の形態】
【００３０】
本発明の一実施形態に係るコンテンツ再生システム１００について、図１〜図５を用いて以下に説明する。
【００３１】
（コンテンツ再生システム１００の構成）
本実施形態に係るコンテンツ再生システム１００の構成について図１を用いて説明する。図１は、本実施形態に係るコンテンツ再生システム１００の構成を示すブロック図である。図１に示すように、コンテンツ再生システムは、据え置き型録画機１および携帯型再生端末１０を備えている。また、据え置き型録画機１と携帯型再生端末１０とは、ネットワークを介して接続されている。
【００３２】
（据え置き型録画機１）
据え置き型録画機１は、受信部２、制御部３、入力指示検出部４、付加データ解析部５、記憶部６、及び接続インターフェース７を備えている。各部材の機能について以下に、説明する。
【００３３】
（受信部２）
受信部２は、放送波を受信する。
【００３４】
（制御部３）
制御部３は、受信部２が受信した放送波から番組コンテンツ（コンテンツ）、及び電子番組表を抽出し、番組コンテンツをブロックに分割して記憶部６に格納する。また、制御部３は、番組コンテンツ及び付加データを、接続インターフェース７を介して接続されている携帯型再生端末１０に転送する。ブロック、及び付加データについては後述する。
【００３５】
（入力指示検出部４）
入力指示検出部４は、図示しない操作ボタン等を通じて入力されたユーザからの指示を検出する。
【００３６】
（付加データ解析部５）
付加データ解析部５は、制御部３が抽出した電子番組表に基づいて、番組コンテンツを所定の再生時間長毎に分割したブロック毎に、当該ブロックの属性情報を示す付加データを記憶部６に記録する。
【００３７】
（記憶部６）
記憶部６には、番組コンテンツ、及び付加データが、格納される。
【００３８】
（接続インターフェース７）
接続インターフェース７は、携帯型再生端末１０と通信を行うためのインターフェースである。
【００３９】
（携帯型再生端末１０）
携帯型再生端末１０は、接続インターフェース１１、データ取得制御部１２、記憶部１３、再生データ制御部１４、入力指示受付部１５、デコーダ部１６、スピーカ１７、及び表示部１８を備えている。各部材の機能について、以下に説明する。
【００４０】
（接続インターフェース１１）
接続インターフェース１１は、据え置き型録画機１と通信を行うためのインターフェースである。
【００４１】
（データ取得制御部１２）
データ取得制御部１２は、接続インターフェース１１を介して据え置き型録画機１からブロックを取得する。
【００４２】
（記憶部１３）
記憶部１３には、据え置き型録画機１から取得したブロック、当該ブロック及び当該ブロックが構成する番組コンテンツに関する付加データ、並びに、携帯型再生端末１０における当該ブロックをユーザが視聴したか否かを表わす再生履歴データが格納される。
【００４３】
（再生データ制御部１４）
再生データ制御部１４は、入力指示受付部１５が検出したユーザからのコンテンツ再生指示に従って、デコーダ部１６を制御し、再生指示のあった番組コンテンツの再生を開始する。また、再生データ制御部１４は、当該番組コンテンツのうち、再生を開始したブロックについて、当該ブロックに対応する再生履歴データの値が「未再生」の場合、値を「再生済」に変更する。
【００４４】
（入力指示検出部１５）
入力指示受付部１５は、図示しない操作ボタン等を通じて入力されたユーザからの指示を検出する。
【００４５】
（デコーダ部１６）
記憶部１３に格納されている番組コンテンツから、映像データ、及び音声データを抽出するとともに、映像データを表わす映像信号を表示部１８に供給し、音声データを表わす音声信号をスピーカ１７に供給する。
【００４６】
（スピーカ１７）
スピーカ１７は、デコーダ部１６から供給された音声信号が表わす音声を出力する。
【００４７】
（表示部１８）
表示部１８は、デコーダ部１６から供給された映像信号が表わす映像を表示する。
【００４８】
（据え置き型録画機１の動作）
次に、ユーザから、番組コンテンツの録画指示を受け付けたときに、ブロック毎に番組コンテンツに関する付加データを記録する据え置き型録画機１の動作について、図２を用いて説明する。図２は当該動作を示すフローチャート図である。
【００４９】
入力指示検出部４が番組コンテンツの録画指示を検出すると、制御部３は、受信部２を介して、番組コンテンツ及び当該番組コンテンツに関する番組情報を含む電子番組表の受信を開始する（Ｓ１）。次に、制御部３は、受信した番組コンテンツを複数のブロックに分割するとともに、当該複数のブロックの記憶部６への記録を開始する（Ｓ２）。そして、制御部３は、電子番組表の受信を完了したか否かを判定する（Ｓ３）。受信が完了したと判定すると（Ｓ３においてＹＥＳ）、電子番組表に基づいて、当該番組コンテンツから分割されたブロック毎に付加データを記憶部６に記録（Ｓ４）して処理を終了する。一方、Ｓ３においてＮＯの場合には、Ｓ３の処理に戻る。なお、番組コンテンツは、当該付加データと関連づけて記憶部６に記録される。
【００５０】
（コンテンツ再生システム１００の動作）
次に、据え置き型録画機１がユーザから番組コンテンツの転送指示を受け付けたときに、据え置き型録画機１が携帯型再生端末１０にコンテンツを送信するコンテンツ再生システム１００の動作について、図３を用いて以下に説明する。図３は、当該動作を示すフローチャート図である。
【００５１】
入力指示検出部４が番組コンテンツの転送指示を検出すると、制御部３は、記憶部６に記録されているすべての付加データを携帯型再生端末１０に送信する（Ｓ１１）。次に、データ取得制御部１２は当該付加データを取得し、取得したすべての付加データのうち、記憶部１３に記録されていない付加データが存在するか否かを判定する（Ｓ１２）。Ｓ１２においてＮＯの場合、処理を終了する。
【００５２】
Ｓ１２においてＹＥＳの場合、データ取得制御部１２は、上記記録されていない１つ以上の付加データの中から、ブロック識別子（ブロック特定情報）が表わすブロックの取得を完了していない付加データをひとつ選択する（Ｓ１３）。なお、付加データを選択する基準については、後述する。
【００５３】
次に、データ取得制御部１２は、選択した付加データのブロック識別子が表わすブロックを送信するように据え置き型録画機１に要求する（Ｓ１４）。制御部３は、当該要求を受信すると、当該ブロックを携帯型再生端末１０に送信する（Ｓ１５）。そして、データ取得制御部１２は、当該ブロックの取得を完了すると、当該ブロックとともに当該付加データと再生履歴データとを関連づけて記憶部１３に記録する（Ｓ１６）。なお、この際、再生履歴データの値は、「未再生」である。
【００５４】
そして、データ取得制御部１２は、Ｓ１２にて取得した付加データのうち、記憶部１３に記録されていないすべての付加データについて、Ｓ１３からＳ１６までの処理を行ったか否かを判定する（Ｓ１７）。Ｓ１７においてＮＯの場合、Ｓ１３の処理に戻る。一方、Ｓ１７においてＹＥＳの場合、処理を終了する。
【００５５】
（付加データ、及び再生履歴データ）
付加データ、及び再生履歴データについて、図４を用いて説明する。図４（ａ）は、記憶部６に記録されている付加データの例を示す図であり、ブロック識別子により識別される８つの付加データが記録されている。各付加データは、ブロック識別子、コンテンツ識別子（コンテンツ特定情報）、番組タイトル、ジャンル情報、出演者、放送開始日時、放送終了日時、ブロック放送開始日時、ブロック放送終了日時、及び再生時間長（ブロックの再生時間）を表わす情報を含んでいる。
【００５６】
また、図４（ｂ）は、記憶部１３に記録されている付加データ、及び再生履歴データの例を示す図であり、８つの付加データ、及び再生履歴データが記録されている。この図に示すように、再生履歴データは、各付加データに関連づけて記録されている。
【００５７】
なお、図４（ａ）、及び（ｂ）の各付加データにおいて、再生時間長がすべて３０分になっているが、ブロックの再生時間長はブロック毎に異なっていても構わない。
【００５８】
さらに、上記付加データには、コンテンツ中のブロック部分のデータサイズを示す情報が含まれていてもよい。
【００５９】
（ブロック）
ブロックとは、番組コンテンツ中の所定の時間帯からなる部分である。また、ブロックが構成する番組コンテンツの取得を完了していなくても、当該ブロック部分の取得を完了してもいれば、携帯型再生端末１０は、上記所定の時間帯の部分について、番組コンテンツを再生することができる。なお、ブロックの再生は、ストリーミング再生とは異なるものである。すなわち、ストリーミング再生は、コンテンツ全体を受信完了する前から、受信した部分のストリーミングデータを順次再生するものであるが、ブロックの再生については、携帯型再生端末１０が、所定の記憶部にブロックを保存し、ユーザからの再生指示を受けて後でブロックを再生することが可能である。
【００６０】
（付加データの選択基準）
Ｓ１３においてデータ取得制御部１２が付加データをひとつ選択する基準について、説明する。
【００６１】
まず、データ取得制御部１２は、付加データを選択するために、各付加データから、放送開始日時とブロック放送開始日時とを抽出する。ここで、放送開始日時とは、コンテンツ識別子が表わす番組コンテンツの放送が開始された時刻であり、ブロック放送開始日時とは、ブロック識別子が表わすブロック（番組コンテンツ中の所定の再生時間長からなる時間帯の部分）の放送が開始された時刻を表わす情報である。
【００６２】
そして、データ取得制御部１２は、各付加データについて、抽出したブロック放送開始日時と放送開始日時との時間差（差分の絶対値）を算出し、算出された値が最も小さい付加データを選択する（すなわち、コンテンツの内容に関わりなく、ブロック放送開始時間が、コンテンツの冒頭により近いブロックを表わす付加データを選択する）。
【００６３】
なお、上記選択基準においては、コンテンツの冒頭により近いブロックを表わす付加データを選択するものとしたが、選択基準は、これに限られるものではない。すなわち、データ取得制御部１２は、コンテンツの冒頭により近いか否かに関わりなく、付加データが表わすブロックの再生時間長がより短いものを選択するようにしてもよい。あるいは、付加データが表わすブロックのデータサイズがより短いものを選択するようにしてもよい。
【００６４】
また、他の選択基準として、記憶部１３に複数の異なるグループ情報（タイトル情報またはジャンル情報）が記録されている場合に、複数の異なるグループ情報のうち、データ取得制御部１２が再生したと判定したコンテンツの再生時間情報の合計値がより大きいグループ情報に対応するコンテンツを据え置き型録画機１が優先的に送信するように、付加データを選択するようにしてもよい。
【００６５】
このことについて具体例を挙げて説明すると、例えば、図４（ｂ）に示すように、記憶部１３には、「ドラマ」と「スポーツ」という２つのジャンル情報が記録されている。「ドラマ」に対応するコンテンツ（Ｃｏｎｔｅｎｔ１．ｔｓ）を構成する各ブロックの再生履歴データは「未再生」であり、データ取得制御部１２は、Ｃｏｎｔｅｎｔ１．ｔｓが表わすコンテンツを再生したと判定しない。従って、ジャンルが「ドラマ」であるコンテンツはＣｏｎｔｅｎｔ１．ｔｓ以外に存在しないので、ジャンル「ドラマ」の再生時間の合計値は０である。
【００６６】
一方、「スポーツ」に対応するコンテンツ（Ｃｏｎｔｅｎｔ２．ｔｓ）を構成するブロックには、再生履歴データが「再生済」のものが含まれており、データ取得制御部１２は、Ｃｏｎｔｅｎｔ２．ｔｓが表わすコンテンツを再生したと判定する。そして、Ｃｏｎｔｅｎｔ２．ｔｓが表わすコンテンツの再生時間情報の合計値は２時間となり、ジャンルが「スポーツ」であるコンテンツはＣｏｎｔｅｎｔ２．ｔｓ以外に存在しないので、ジャンル「スポーツ」の再生時間の合計値は０である。
【００６７】
この場合、データ取得制御部１２は、Ｃｏｎｔｅｎｔ２．ｔｓをコンテンツ識別子として有する付加データをＣｏｎｔｅｎｔ１．ｔｓをコンテンツ識別子として有する付加データより優先的に選択する。
【００６８】
また、さらに他の選択基準として、データ取得制御部１２は、記憶部１３に、タイトル情報が同一であってコンテンツ識別子が異なる付加データが記録されているタイトル情報の各々について、当該タイトル情報を含む複数の付加データのうち、上記時刻情報が表わす時刻が最も遅い付加データが指し示すコンテンツを再生したか否か判定するとともに、データ取得制御部１２は、再生していないと判定されたコンテンツを指し示す付加データよりも、再生していないと判定されていないコンテンツを指し示す付加データを優先的に選択してもよい。
【００６９】
また、データ取得制御部１２は、再生していないと判定されたコンテンツを指し示す付加データよりも、再生していないと判定されていないコンテンツを指し示す付加データを優先的に選択するとともに、あるいは、当該付加データを優先的に選択することに代えて、再生したと判定されていないコンテンツを指し示す付加データよりも、再生したと判定されたコンテンツを指し示す付加データを優先的に選択してもよい。
【００７０】
以上、Ｓ１３においてデータ取得制御部１２が付加データをひとつ選択する基準について、説明してきたが、これらの選択基準を複数組み合わせてもよい。すなわち、上記選択基準の中から選択した１の選択基準を用いても、選択する付加データが複数存在する場合に、当該複数の付加データから１の付加データを選択するために、他の選択基準を用いてもよい。例えば、Ｓ１２にて取得した全付加データのうちの記憶部１３に記録されていない付加データの中に、ブロック放送開始日時と放送開始日時との時間差が最も小さい付加データが複数存在する場合には、複数の付加データの中から、再生時間長が最も短い付加データを選択するなど、他の属性を参照して付加データを選択してもよいし、当該複数の付加データからランダムに選択してもよい。
【００７１】
（コンテンツ再生システム１００の利点）
以上のように、コンテンツ再生システム１００において、携帯型再生端末１０は、据え置き型録画機１から受信していない複数のブロックを、ブロック毎に順に受信するが、ブロック毎に受信することによるコンテンツ再生システム１００の利点について、図５を用いて以下に説明する。
【００７２】
図５は、携帯型再生端末１０が、番組コンテンツＡ及び番組コンテンツＢを据え置き型録画機１から取得する際に、ブロックに分割しないで２つのコンテンツを取得した場合の取得時間（図５の上のグラフ）と４つのブロックに分割してブロック毎に取得した場合の取得時間（図５の下のグラフ）を対比した図である。なお、図４の下のグラフにおいて、ブロックＡ１、及びブロックＡ２は、それぞれ、番組コンテンツＡの前半部分、及び後半部分を示している。同様に、ブロックＢ１、及びブロックＢ２は、それぞれ、番組コンテンツＢの前半部分、及び後半部分を示している。
【００７３】
上記２つの場合において、２つの番組コンテンツの取得を完了するのに要する時間に違いはない。しかし、ブロック分割せずに転送した場合における番組コンテンツＡの取得完了に要する時間で、ブロック分割して転送した場合には、ブロックＡ１及びブロックＢ１の２つのブロックの転送が完了している。すなわち、ブロック分割を行った場合には、この時点で取得が中断されたとしても、部分的ではあるものの２つの番組コンテンツを取得できることになる。
【００７４】
ここで、ユーザが携帯型再生端末１０を用いてコンテンツを視聴する状況を鑑みると、ユーザは、例えば、外出先において数分〜数十分といった限られた時間だけ視聴するケースが多いと想定される。従って、ユーザは、据え置き型録画機１から１時間、２時間といった再生時間の長いコンテンツを１つ取得するよりも、１５分、３０分といった再生時間長であっても複数の種類の番組コンテンツを取得するほうが、後に外出先等において携帯型再生端末１０を用いてコンテンツを視聴する際、複数の番組の中から、より興味のあるコンテンツを選択できる分、メリットが大きいと考えられる。
【００７５】
このように、本実施形態に係るコンテンツ再生システム１００を用いることにより、据え置き型録画機１から携帯型再生端末１０にコンテンツを転送中に、転送の中断が発生する場合や、ユーザが転送を中断せざるを得ない場合であっても、ユーザが、外出先等において、携帯型再生端末１０を用いて視聴を望むコンテンツをコンテンツ本来の品質で視聴できる可能性が高まるという効果を奏する。
（付記事項）
なお、上記コンテンツのフォーマットは、例えば、デジタル放送において利用されるＭＰＥＧ−２・ＴＳ、ＭＰＥＧ−２・ＰＳ、ＭＰ４等、一般的にコンテンツとして用いられるフォーマットであればいかなるフォーマットであっても構わない。
【００７６】
また、据え置き型録画機１が受信する放送波は、地上波デジタル放送、衛星放送などいかなる放送方式により送信された放送波であっても構わない。また、据え置き型録画機１はコンテンツを取得するのに、据え置き型録画機１は、放送局から送信された放送波を受信するものであってもよいし、ケーブルテレビ会社等を通じて再送信された放送信号を受信するものであってもよい。さらに、番組コンテンツがＩＰＴＶ等により提供されるものである場合、据え置き型録画機１は、放送波を介して受信するのではなく、インターネットやＮＧＮといった通信ネットワークを介して、番組コンテンツを取得してもよい。
【００７７】
さらに、インターフェース７、及びインターフェース１１は、等、デジタルデータの送受信が可能な一般的な入出力インターフェースであれば、有線、無線接続に関わらず、いかなるものであってもよい。例えば、インターフェース７、及びインターフェース１１は、ＩＥＥＥ１３９４、ＵＳＢ（Ｕｎｉｖｅｒｓａｌ  Ｓｅｒｉａｌ  Ｂｕｓ）、Ｅｔｈｅｒｎｅｔ（登録商標）、Ｗｉ−Ｆｉ、Ｂｌｕｅｔｏｏｔｈ（登録商標）のうちいずれの規格に対応した入出力インターフェースであってもよい。
【００７８】
（プログラム、記録媒体）
なお、携帯型再生端末１０に含まれている各ブロックは、ハードウェアロジックによって構成すればよい。また、次のように、各ブロックのうち、データ取得制御部１２、記憶部１３、再生データ制御部１４、入力指示検出部１５、及びデコーダ部１６については、ＣＰＵ（Ｃｅｎｔｒａｌ  Ｐｒｏｃｅｓｓｉｎｇ  Ｕｎｉｔ）を用いてソフトウェアによって実現してもよい。
【００７９】
すなわち、携帯型再生端末１０は、各機能を実現する制御プログラムのプログラムコード（実行形式プログラム、中間コードプログラム、ソースプログラム）をコンピュータで読み取り可能に記録していればよい。携帯型再生端末１０（またはＣＰＵやＭＰＵ）が、供給された記録媒体に記録されているプログラムコードを読み出し、実行すればよい。
【００８０】
プログラムコードを携帯型再生端末１０に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００８１】
また携帯型再生端末１０は、通信ネットワークと接続可能に構成しても、本発明の目的を達成できる。この場合、上記のプログラムコードを、通信ネットワークを介して携帯型再生端末１０に供給する。この通信ネットワークは、携帯型再生端末１０にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【００８２】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８４】
本発明に係るコンテンツ再生システムは、据え置き型録画機から携帯型再生端末にブロック毎に番組コンテンツを転送する。そして、転送が中断しても、ユーザは携帯型再生端末を用いて取得したブロックの部分の番組コンテンツを再生できる。従って、本発明のコンテンツ再生システムは、自宅で番組を視聴する時間がないため、自宅で番組を録画し、録画した番組を通勤時等に視聴する多忙なビジネスマン等を販売ターゲットとして、携帯電話、及びＨＤＤレコーダからなるシステムとして販売することが考えられる。
【図面の簡単な説明】
【００８５】
【図１】本発明の実施形態を示すものであり、コンテンツ再生システムの構成を示すブロック図である。
【図２】本発明の実施形態を示すものであり、据え置き型録画機の所定の動作を示すフローチャート図である。
【図３】本発明の実施形態を示すものであり、コンテンツ再生システムの所定の動作を示すフローチャート図である。
【図４】（ａ）は、据え置き型録画機の記憶部に記録されている付加データを示す図であり、（ｂ）は、携帯型再生端末の記憶部に記録されている付加データ、及び再生履歴データを示す図である。
【図５】本発明の実施形態に係る携帯型再生端末と従来の構成とを対比するための図であり、ブロック毎に分けてコンテンツを転送した場合と、ブロックに分けずにコンテンツを転送した場合とのそれぞれにおける、転送時間と転送完了したコンテンツとの関係を示す図である。
【符号の説明】
【００８６】
１  据え置き型録画機（コンテンツ提供装置）
２  受信部
３  制御部（分割手段、送信手段、付加データ送信手段）
４  入力指示検出部
５  付加データ解析部
６  記憶部
７  接続インターフェース
１０  携帯型再生端末（コンテンツ再生装置）
１１  接続インターフェース
１２  データ取得制御部（記録手段、判定手段、通知手段）
１３  記憶部（付加データ記録部）
１４  再生データ制御部（再生手段）
１５  入力指示検出部
１６  デコーダ部
１７  スピーカ
１８  表示部
１００  コンテンツ再生システム
【図１】
2010109946.tif 000003
【図２】
2010109946.tif 000004
【図３】
2010109946.tif 000005
【図４】
2010109946.tif 000006
【図５】
2010109946.tif 000007